Podtech/llm-jp-corpus-v4-ja_patent huggingface dataset:
(57)【要約】      （修正有）【課題】机に物をたくさん置こうとしても、机のサイズに限度がある。机の幅以上に物を置くための補助机を提供する。【解決手段】補助テーブル１のついた支柱２に、机をしめつけて固定できるネジ固定式の上板３と下板４をそれぞれ支柱２に通して取り付ける。上板３と下板４で机天板を締め付けて固定し、また補助テーブル１の高さを調節できるようにする。鏡台やベッドなど、はさんで締め付けて固定できないものなどには、補助テーブル１のついた支柱２、にネジ固定式の２０ｃｍ角の薄い板を支柱２に通して取り付ける。そして、鏡台等のコーナー部分にその板をのせて使用する。【選択図】図３
2011115511.tif 000002
【特許請求の範囲】
【請求項１】
補助手テーブルのついた支柱に上板と下板を机をはさんで固定し、テーブルと固定ネジで固定でき、好きな向き好きな高さで固定できるように設けた補助机。
【請求項２】
補助テーブルのついた支柱に薄い板のついた器具を補助テーブルと同じ向きに通し好きな高さで固定してはさむところのない鏡台やベッドなどの角に薄い板と支柱がコーナーで当たるように置くことで補助テーブルを使用できるように設けた請求項１の補助机。
【発明の詳細な説明】
【技術分野】
【０００１】本発明は、勉強机や、鏡台、食卓の机等の、補助机に関するものである。
【背景技術】
【０００２】従来、机は、机のサイズで、物の置ける範囲が決まっており、食卓の机では、お皿を置けなくなった場合もう一つ机を並べて置けるスペースをつくっていた。
【先行技術文献】
【０００３】
【特許文献１】特開２００１−２３８７３６号公報
【発明の概要】
【発明が解決しようとする課題】
【０００４】机に物をたくさん置こうとしても、机のサイズにより限度があり、机の幅以上に物を置くことは不可能だった。本発明は以上の問題点を解決するものである。
【課題を解決するための手段】
【０００５】上記課題を解決するため、本発明が第一の手段として構成したところは、補助テーブルの付いた支柱に、机をしめつけて固定できるネジ式の器具を、２つ支柱に通して取り付ける。２つの器具で机の固定と、支柱の高さをネジで調節できるようになっている。又、鏡台やベッドなど挟んでしめつけて固定できないものなどには、補助テーブルのついた支柱に２０ｃｍ角の薄い板のついた器具を支柱に通して取り付ける。そして、机のコーナー部分にその板をのせて使用する。
以上の構成よりなる補助机。
【発明の効果】
【０００６】従来不可能とされていた、机の幅以上に物を置くことを本発明により可能にし、机のスペースを新たに作り従来以上の物を置くことができる。
【図面の簡単な説明】
【０００７】
【図１】本発明の斜視図
【図２】本発明の斜視図
【図３】本発明の使用状態を示す立面図
【図４】本発明の使用状態を示す立面図
【図５】本発明の使用状態を示す斜視図
【発明を実施するための形態】
【０００８】以下、本発明の実施の形態を説明する。
補助テーブル（１）のついた支柱（２）に机をはさむための器具上板（３）と下板（４）を取りつける上板（３）は、支柱（２）がはいるようになっていて支柱（２）のすきな位置に取りつけれるように固定ネジ（イ）がついている。
固定ネジ（イ）をしめつけることで支柱（２）との固定ができるようになっている。
下板（４）は上板（３）と同様支柱（２）が入る穴があり支柱との固定ができるように固定ネジが（ハ）がついている。
又、下からテーブルをはさむための固定ネジ（ロ）がついている。
鏡台やベッドなどはさんで固定できない机などには薄い板のついた器具（５）を使用する。
この薄い板のついた器具（５）も上板（３）と同様支柱（２）が入る穴があり支柱（２）の好きな位置に取り付けることができる固定ネジ（ニ）がついている。
本発明は以上のような構造である。
本発明を使用するときは、補助テーブル（１）のついた支柱（２）に補助テーブルの使いたい向きで固定ネジ（イ）で支柱（２）に好きな高さ位置で固定する。次に下板（４）を机とはさみこむように通し固定ネジ（ハ）で支柱（２）を固定し、固定ネジ（ロ）で机をしめつけて固定する。
上板（３）と下板（４）のテーブルへの固定で補助テーブル（１）に物を置くことが可能になり机のスペースを広げる事ができる。
又、鏡台やベッドなどのはさんで固定できない机などには薄い板のついた器具（５）を補助テーブルと同じ向きにして支柱（２）に通し固定ネジ（ニ）で支柱と固定して鏡台等の角に薄い板と（５）と支柱（２）が当たるように置くことで補助テーブル（１）を使用する事が可能になり机のスペースを広げる事ができる。
【符号の説明】
【０００９】（１）補助テーブル、（２）支柱、（３）上板、（４）下板、
（５）薄い板のついた器具、（イ）支柱との固定ネジ、（ロ）テーブルとの固定ネジ、
（ハ）支柱との固定ネジ、（ニ）支柱との固定ネジ
【図１】
2011115511.tif 000003
【図２】
2011115511.tif 000004
【図３】
2011115511.tif 000005
【図４】
2011115511.tif 000006
【図５】
2011115511.tif 000007
(57)【要約】【課題】  操作が容易で、ジャイロ原理が視覚的にはっきりとわかり、かつ魅力的な美しい球体の演出が可能な玩具【解決手段】  薄いドーナツ型の鉄（１）と一回り大きな鉄の輪（２）を複数の円柱磁石（３）で繋いで磁性をもつ薄い回転体を形成し、その中心の穴に針金を通してもう一つの大きな輪（４）を設けたことを特徴とする。【選択図】図１
2011115512.tif 000002
【特許請求の範囲】
【請求項１】
薄いドーナツ型の鉄（１）と一回り大きな鉄の輪（２）を複数の円柱磁石（３）で繋ぎ、その中心の穴に針金を通してもう一つの大きな輪（４）を設けた、操作が容易で、美しい球体の演出が可能なジャイロ原理を利用した玩具
【発明の詳細な説明】
【技術分野】
【０００１】  この発明は、操作が容易で、美しい球体の演出が可能なジャイロ原理を利用した玩具に関するものである。
【背景技術】
【０００２】  従来、同様のジャイロ原理を利用した玩具は、操作上、高いスキルを要求し、さらにジャイロ原理が生じていることがわかりにくい視覚上の魅力に乏しいものだった。
【発明の概要】
【発明が解決しようとする課題】
【０００３】  当該の玩具の操作をより容易にするために、回転体に磁性にもたせ、ジャイロ原理が視覚的にはっきりとわかり、かつ魅力的な美しい演出効果をもつように、回転体を薄くする必要があった。
【課題を解決するための手段】
【０００４】  薄いドーナツ型の鉄（１）と一回り大きな鉄の輪（２）を複数の円柱磁石（３）で繋いで磁性をもつ薄い回転体を形成し、その中心の穴に針金を通してもう一つの大きな輪（４）を設けた。
本発明は、以上の構成よりなるジャイロ原理を利用した玩具である。
【発明の効果】
【０００５】  この発明により、当玩具は、操作が容易で、ジャイロ原理が視覚的にはっきりとわかり、かつ魅力的な美しい球体の演出が可能となる。
【発明を実施するための形態】
【０００６】  以下、本発明を実施するための最良の形態について説明する。
薄いドーナツ型の鉄（１）と一回り大きな鉄の輪（２）を複数の円柱磁石（３）で繋いで磁性をもつ薄い回転体を形成し、その中心の穴に針金を通してもう一つの大きな輪（４）を設けた。
本発明は、以上のような構成で、これを使用するときは、ジャイロ原理で回転体が回転し続けるように、回転体を通した大きな輪をゆっくりと回転し続ければよい。
【図面の簡単な説明】
【０００７】
【図１】  本発明の平面図である。
【符号の説明】
【０００８】１  薄いドーナツ型の鉄
２  鉄の輪
３  円柱磁石
４  大きな針金の輪
【図１】
2011115512.tif 000003
(57)【要約】      （修正有）【課題】使用時、強い力が必要でなく、また水が筒内を通り抜け手を濡らす難点のない米研ぎ器を提供する。【解決手段】筒状材料の中間に、仕切り部５を設け、筒の一方を米研ぎ部４として、２個以上のノコギリ歯状にカツトし、片方に握り部２と手のひら当て部３を設け、米研ぎ時に、握り部２を親指と人差し指で握り、手のひら当て部３を手のひらに当て、その他の指で筒の仕切り部５の外側付近を押さえることにより、手の先に器具が一体化し楽に、かつ水が筒内を通り抜け手を濡らす事を防ぎ、水中に手を入れることなく米研ぎが出来る。【選択図】図１
2011115532.tif 000002
【特許請求の範囲】
【請求項１】
筒状の材料の中間に仕切りを設け筒の一方を米研ぎ部として、２個以上ノコギリ歯状にカツトし、片方に握り部と手のひら当て部を設け、米研ぎ時に、握り部を親指と人差し指で握り、手のひら当て部を手のひらに当て、他の指で筒の外側上部を押さえることにより、手の先に器具が一体化し楽に、かつ水が筒内を通り抜け手を濡らす事を防ぎ、水中に手を入れることなく米研ぎができる事を特徴とする［請求項１］の米研ぎ器。
【発明の詳細な説明】
【発明の詳細な説明】
【技術分野】
【０００１】  本発明は、手に傷があるとき、マニキュアをした時、ハンドクリーム等を手に付けた時、又、冬の寒い時期などに、水に手を入れなくても、米研ぎが簡単にできる様に工夫したものである。
【背景技術】
【０００２】  従来、上部に取手が無く、また中間仕切りのないもの（特許文献１）があつた。
【特許文献１】  特開平９−３０８５８５
【発明の開示】
【発明が解決しようとする課題】
【０００３】  しかしながら、従来の技術では、筒の上部を指で持つため使用時、強い力が必要であり、また水が筒内を通り抜け手を濡らすとゆう難点があつた。
【課題を解決するための手段】
【０００４】  本発明は、筒状の材料の中間に仕切りを設け筒の一方を米研ぎ部として、２個以上ノコギリ歯状にカツトし、片方に握り部と手のひら当て部を設け、米研ぎ時に、握り部を親指と人さし指で握り、手のひら当て部を手のひらに当て、他の指で筒の外側上部を押さえることにより、手の先に器具が一体化し楽に、かつ水が筒内を通り抜け手を濡らす事を防ぎ、水中に手を入れることなく米研ぎができる事を特徴とする米研ぎ器を提供することにより、上記課題を解決するものである。
【発明の効果】
【０００５】  請求項１の発明によれば、冬の寒い時や、手に傷が有り包帯をした時、マニキユアをした時、ハンドクリ−ム等を手に付けた時などに、水に手を入れなくても簡単に米研ぎでき、又米研ぎ時、米粒が割れにくい。
【発明を実施するための最良の形態】
【０００６】  図面を参照して本発明の実施の形態を説明する。筒状の材料（１）の下部を、ノコギリの歯状に２箇所以上カツトし（４）、（２）の握り部は、親指と人差し指で握つたとき外れにくいようにする為、上の方をひろくする。（３）の手のひら当て部は（２）の握り部より少し短くする。中間に（５）の仕切りを設ける。
【図面の簡単な説明】
【図１】  本発明の正面図である。
【図２】  本発明の断面図である。
【符号の説明】  １  米研ぎ器本体
２  握り部
３  手のひら当て部
４  米研ぎ部
５  仕切り部
【図１】
2011115532.tif 000003
【図２】
2011115532.tif 000004
(57)【要約】【課題】下向き洗眼カップは、高齢者、腰痛、首痛等の方、上向きの困難な方にも楽な姿勢で、簡単に使いやすく下向きにて安心して洗眼ができる、下向き洗眼カップを提供する。【解決手段】  弾性質のプラスチック等で形成された洗眼用カップ本体と、つまみ部から構成され、洗眼用カップ本体において、眼の周りに心地よくヒィットするように形成され、本体開口部の周縁に、ソフトな密着感があるようにソフトシリコーンのような材質でフレームを設け、つまみ部は、つまみ昜い円形状に設け底を抜いた状態を特徴とする下向き洗眼カップ。【選択図】図１
2011115531.tif 000002
【特許請求の範囲】
【請求項１】
弾性質のプラスチック等で本体を形成し、開口部周縁を眼に心地よくフィットするためにソフトシリコーンのようなフレームを設けた、本体底は閉じられており、そこから下に数センチほどの円形状のつまみ部を設ける、つまみ部の底が抜けていることを特徴とする下向き洗眼カップ。
【発明の詳細な説明】
【技術分野】
【０００１】  本発明は、下向きの状態で洗眼を行う、下向き洗眼用カップに関するものである。
【背景技術】
【０００２】  従来、洗眼アイカップ、洗眼用カップ、洗眼容器、下向きぷにょカップ等があった。
【先行技術文献】
【０００３】
【特許文献１】特許公開  ２００８−６１７８７
【特許文献２】特許公開  ２００７−２８２８７３
【発明の概要】
【発明の解決しょうとする課題】
【０００４】  そのために、次のような問題点があった。
（イ）顔を上向きでの洗眼の場合、高齢者、腰痛、首痛等の方、上向きの困難な方も洗眼を行うことが大変厳しく、楽な姿勢で目を優しく洗眼が行えないか、大変難しかった。
（ロ）従来、眼に強く押し当てることで眼の周りに痛みがあり、目頭、目尻等から洗浄液が漏れることもあった。
（ハ）メイクを落とした後に眼の洗浄を行う為の容器で、下向きで容器の下部の小さい凸部をつまんで洗眼を行う洗眼容器もみられ、つまみ部が小さく、つまみずらく、手から落としやすく、不安定であった。
本発明は、これらの問題点を解決するためのものである。
【課題を解決するための手段】
【０００５】  弾性質のプラスチック等で形成された洗眼用カップ本体と、つまみ部から構成される。洗眼用カップ本体において、眼の周りに心地よくフィットするように形成された本体開口部の周縁に、ソフトな密着感があるようにソフトシリコーンのような材質でフレームを設ける。本体底は閉じられており、そこから下に数センチほどの円形状のようなつまみ昜い形状のつまみ部を設ける。
つまみ部の底は抜けている。
以上を特徴とする下向き洗眼カップである。
【発明の効果】
【０００６】  眼の周りに心地よくフイットし、高齢者、腰痛、首痛等の方、上向きが困難な方も安心して、楽な姿勢で下向きでの洗眼をすることができる。
【図面の簡単な説明】
【０００７】
【図１】本発明の正面図
【発明を実施するための形態】
【０００８】  以下、本発明の実施の形態について説明する。
（イ）弾性質のプラスチック等で形成された洗眼用カップ本体（１）と、つまみ部（２）から構成される。
（ロ）洗眼用カップ本体（１）において、眼の周りに心地よくフィットするように、形成された本体開口部（４）の周縁に、ソフトな密着感があるように、ソフトシリコーンのような材質でフレーム（３）を設ける。
（ハ）本体底（５）は閉じられており、そこから下に数センチほどの円形状のつまみ部を設ける。
（ニ）つまみ部（２）の底は抜けている。
本発明は以上のような構成で、これを実際に使用する時は、本体開口部（４）より洗浄液を本体底（５）より縁まで注入し、下向きで眼に装着する。
フレーム（３）がソフトシリコーンのような材質なので、眼の周りの皮膚にも優しく密着し痛みも感じない。つまみ部（２）は空洞で底が抜けている状態なので、つまみ部（２）をつまみ、プッシュすることで本体底（５）の面が押し上げられ、眼の中に洗浄液が十分に入り、瞬きを数回することで、高齢者、腰痛、首痛等の方、上向きの困難な方も安心して楽な姿勢で下向きでの洗眼ができる。
【符号の説明】
【０００９】  １  洗眼用カップ本体
２  つまみ部
３  フレーム
４  本体開口部
５  本体底
【図１】
2011115531.tif 000003
(57)【要約】      （修正有）【課題】支柱に複数の孔が開けられているか、又は棚板の下片に三角状の飾りが付けられたスチール棚において使用される、安価で、取付が簡単な物品落下防止具を提供する。【解決手段】ゴムひも、又は平ゴムで作り、四方を二重にして破れにくくした矩形状のネット２の対向する二辺に、それぞれ複数のカギ状の器具１を取付け、左右の支柱５の孔に引っ掛けるか、又は上下のスチール棚の三角形状の飾りに引っ掛けて取付ける。【選択図】図１
2011115534.tif 000002
【特許請求の範囲】
【請求項１】
落下防止用に、スチール棚に取り付ける、カギ状の器具の付いた、ゴム製のネット。
【発明の詳細な説明】
【技術分野】
【０００１】  本発明は、スチール棚からの物品落下防止に関する
【背景技術】
【０００２】  従来の、スチール棚からの落下防止具には、後付けできるものに、綱、ベルトなどがある。
【発明の概要】
【発明が解決しようとする課題】
【０００３】  従来の落下防止具は、取り付けに手間がかかることがあったり、金額が高かったりする。【０００４】  本発明は、このような問題を解決しようとするものであり、安価で、取り付けの簡単な、スチール棚用の物品落下防止具を実現することを目的とするものである。
【課題を解決するための手段】
【０００５】  本発明は、上記目的を達成するために、スチール棚の物品が落下する危険性のある面にとりつける、伸縮製のネットである。ネットには、鉤状の金具がついてあり、スチール棚の四隅の支柱の穴又は、棚板についた、穴にとりつける。【０００６】  上記の課題解決手段による作用は次の通りである。即ち、スチール棚の開口部をおゝうことにより、物品の落下を防ぐ。
【発明の効果】
【０００７】  上述したように、本発明のネットは、棚にのせた物品の落下をふせぐことができる。
【図面の簡単な説明】
【０００８】
【図１】本発明の、棚板への実施形態を示す。
【図２】本発明の支柱への実施形態を示す。
【発明を実施する為の形態】
【０００９】  以下、本発明の形態を図１〜図２に基づいて説明する。
【００１０】  図においては、１はネットにとりつけるカギ状の器具である。
２は、ゴム製のネットである。３は、四方を二重にして、やぶれにくくしてある。
４は、タナ板、５は支柱である。
【００１１】  図１は、棚板の下側に、三角状のかざりのついたもので、支柱が丸く、穴のあいていないスチール棚へ、ゴム製ネットをとりつけた図である。
支柱に、穴がないので、棚板下の三角形のかざりに、取付け具をひっかける。
【００１２】  図２は、支柱に、棚板取りつけ用の穴のあいたスチール棚に、ゴム製ネットを取り付けた図である。
支柱の穴に、取付け具をひっかける。
【図１】
2011115534.tif 000003
【図２】
2011115534.tif 000004
(57)【要約】      （修正有）【課題】６面をそろえるための過程をモニターに表示するプログラムの提供。【解決手段】バラバラの今の色を順番通りボタンで入力して、それを元に、６面をそろえるために計算して、決められた表示記号で回転方法を表示するプログラムである。後は、表示された通りに手動で回転していけば、６面そろったルービックキューブができあがる。【選択図】図１
2011115533.tif 000002
【特許請求の範囲】
【請求項１】
コンピュータを使ってルービックキューブの６面そろえるための答えを出す。
【請求項２】
その答え（データ）により手動で回転させる。
【発明の詳細な説明】
【技術分野】
【０００１】本発明は、パソコンのプログラムで、６面そろっていないバラバラの色名を順番通り入力していくと、６面がそろうための回し方を決められた記号でモニターに表示するプログラム。
【背景技術】
【０００２】従来は、回転方法を表示するプログラム等はなかった。
【先行技術文献】
【０００３】
【発明の概要】
【発明が解決しようとする課題】
【０００４】ルービックキューブの練習においても、初心者には６面そろえるのは、難しいし、まず、そろえていく過程がわからない。それに、元に戻したいときに、６面そろえるプログラム。
【課題を解決するための手段】
【０００５】ルービックキューブの回転の方法は９通りである。（３ｘ３）
９通りにＡ１，Ａ２，Ａ３，Ｂ１，Ｂ２，Ｂ３，Ｃ１，Ｃ２，Ｃ３等名前を付ける。
１回に９０度回転させるとして、４回で元の位置に戻ってくる。
各パーツは１回の回転ではどのように移動するか決まっている。
それを利用して公開されている方法をコンピュータのプログラムにしました。
【発明の効果】
【０００６】各色をボタンにして、５４回順番通りに入力すれば、入力エラーがなければ。
瞬時にモニターに回転方法を表示する。
【図面の簡単な説明】
【０００７】
【図１】モニターに、ルービックキューブの色を入力する番号を付した画面
【図２】各色は最初は０で、入力するたびに一つずつ増えていく
【図３】色を番号順に入力するボタン、入力完了したときに押すボタン（入力完了１）ボタン、コンピュタに計算させるときに押すボタン（ＳＴＡＲＴ２）ボタン、最後に確認の時に押すボタン（確認３）ボタン。
【図４】Ａ１，Ａ２，Ａ３と表示されたときに回すルービックキューブの部分（駒）。
【図５】Ｂ１，Ｂ２，Ｂ３と表示されたときに回すルービックキューブの部分（駒）。
【図６】Ｃ１，Ｃ２，Ｃ３と表示されたときに回すルービックキューブの部分（駒）。
【発明実施するための形態】
【０００８】本発明はパソコンを使って、ルービックキューブを元の１面同じ色を６面そろえるというプログラムです。まず今のバラバラの色をバタンを使って入力する。（入力完了１）ボタンを押す。
次にパソコンに計算させるために（ＳＴＡＲＴ２）ボタンを押す。
結果、表示された通りに図４、図５、図６を参考にして手動で回転する。
【符号の説明】
【０００９】Ａ１  正面向かって左端を９０度上に回す図。
Ａ２  正面真ん中を９０度上に回す図。
Ａ３  正面向かって右端を９０度上に回す図。
Ｂ１  正面向かって上段を右に９０度回す図。
Ｂ２  正面向かって中段を右に９０度回す図。
Ｂ３  正面向かって下段を右に９０度回す図。
Ｃ１  正面１番手前を時計回転と同じ方向に９０度回す。
Ｃ２  正面２番目を時計回りと同じ方向に９０度回す。
Ｃ３  一番奥を時計回りと同じ方向に９０度回す図。
【図１】
2011115533.tif 000003
【図２】
2011115533.tif 000004
【図３】
2011115533.tif 000005
【図４】
2011115533.tif 000006
【図５】
2011115533.tif 000007
【図６】
2011115533.tif 000008
(57)【要約】【課題】コイルの導線の巻数や巻き方を変えることにより、電磁気学、力学特性を変えられるモーターおよび発電機は存在しなかった。本発明はコイルの巻数や巻き方を簡単に変えることによる、モーターおよび発電機の電磁気学、力学特性を変える方法を提供する。【解決手段】モーターまたは発電機のコイルの巻数または巻き方を切り替えることができるように導線とスイッチを配置する。【選択図】図１
2011115038.tif 000002
【特許請求の範囲】
【請求項１】
モーターまたは発電機の、コイルの導線の巻数または巻き方を変えることが出来るように、導線とスイッチを配置すること。
【発明の詳細な説明】
【技術分野】
【０００１】  本発明はモーターおよび発電機の電磁気学、力学特性を変えるものである。
【背景技術】
【０００２】  従来は印加電圧やパルス電流などでモーターを制御しており、モーターが出力する力学特性を変えるためには変速機を用いていた。
【発明の概要】
【発明が解決しようとする課題】
【０００３】  コイルの導線の巻数や巻き方を簡単に変えることにより、電磁気学、力学特性を変えることができるモーターおよび発電機は存在しなかった。
【課題を解決するための手段】
【０００４】  モーターおよび発電機に、コイルの導線の巻数や巻き方を切り替えることが出来るように導線とスイッチを配置する。
【発明の効果】
【０００５】  モーターおよび発電機の電磁気学、力学特性を可変にすることは変速機の役割を果たし、機械的な変速機の代替、簡略、省略が可能となる。
【図面の簡単な説明】
【０００６】
【図１】本発明の概略図である。
【図２】本発明の概略図である。
【発明を実施するための形態】
【０００７】  一般にコイルの導線の巻数の大きなモーターは大トルク、小角速度型であり、コイルの導線の巻数の小さなモーターは小トルク、大角速度型である。また、コイルの導線の巻数の大きな発電機は大誘導起電力、小誘導電流型であり、コイルの導線の巻数の小さな発電機は小誘導起電力、大誘導電流型である。また、モーターおよび発電機には、同位相の電流が流れるコイルが１組（単相）の物や、３組（３相）の物など、いくつかの種類が存在する。さらに、ローターと呼ばれる回転部分の磁石のＮ極、Ｓ極の数に応じて２極、４極などと呼ぶ。
【０００８】  図１のモーターまたは発電機（１）は、単相、２極の磁石ローター（５）の例である。このモーターまたは発電機（１）には従来のモーターおよび発電機には無い、コイル（６）の導線の巻数を切り替えるスイッチ（４）が配置してある。スイッチ（４）をＳ１に切り替えれば、コイル（６）は導線１（７）のみからなるコイルとなり、一方スイッチ（４）をＳ２に切り替えれば、コイル（６）は導線１（７）と導線２（８）の直列のコイルとなる。前者と後者を比較すれば、前者はコイルの導線の巻数が小さいため、モーターまたは発電機（１）は小トルク、大角速度型、小誘導起電力、大誘導電流型となり、後者はコイルの導線の巻数が大きいため、モーターまたは発電機（１）は大トルク、小角速度型、大誘導起電力、小誘導電流型となる。
【０００９】  図２は図１の応用の一例である。図２のモーターまたは発電機（９）において、スイッチ（１２）のＳ１とＳ２をオフ、Ｓ３をオンにすれば、コイル（１４）は導線３（１５）と導線４（１６）の直列コイルとなり、巻数が大きくなるため、モーターまたは発電機（９）は大トルク、小角速度型、大誘導起電力、小誘導電流型となる。一方、スイッチ（１２）のＳ１とＳ２をオン、Ｓ３をオフにすれば、コイル（１４）は導線３（１５）と導線４（１６）が並列の、巻数が小さいコイルとなるため、モーターまたは発電機（９）は小トルク、大角速度型、小誘導起電力、大誘導電流型となり、同時にコイル（１４）の電気抵抗を下げることができる。
【００１０】  図１、図２のコイル（６）、（１４）はいずれも導線が２個（導線１（７）、導線２（８）、または導線３（１５）、導線４（１６））のコイルであるが、導線と切り替えスイッチ端子の数を増やし、モーターおよび発電機の特性の幅を広げることは容易である。
【００１１】    図１、図２のモーターまたは発電機（１）、（９）はいずれも単相であるが、複相のモーターおよび発電機にも適用でき、さらには相ごとのコイルの特性を変えることも容易である。
【００１２】  総じてコイルの導線の巻数、巻き方を変えることにより、モーターおよび発電機の電磁気学、力学特性を変える方法は、既存の多くのモーターに適用できる。
【符号の説明】
【００１３】  （１）モーターまたは発電機、（２）電力
（３）仕事率、（４）スイッチ
（５）磁石ローター、（６）コイル
（７）導線１、（８）導線２
（９）モーターまたは発電機、（１０）電力
（１１）仕事率、（１２）スイッチ
（１３）磁石ローター、（１４）コイル
（１５）導線３、（１６）導線４
【図１】
2011115038.tif 000003
【図２】
2011115038.tif 000004
(57)【要約】      （修正有）【課題】永久磁石の静磁場を動磁場に変える。またこの動磁場の磁極にコイルを付けて発電させる。【解決手段】永久磁石は静磁場ですがこれを迂回路（磁路１，２）を回転子の磁石で強制的に通し主磁路の磁力をオフにする、回転子の磁石が無い部分に回転したとき主磁路の磁力をオン、このように磁力をオン、オフすることで動磁場を発生させる。この時回転子に磁力の吸引力が加わり回転させまいとする吸引力を反対側に調整可能に付けた磁石の反発力で相殺させる。主磁路にコイルを付けた場合発電時にコイルに磁界が生じるがこれはフライホイールで相殺する。このように装置に発生する反回転力を極力相殺して外部入力が少なく可動できる。【選択図】図１
2011115039.tif 000002
【特許請求の範囲】
【請求項１】
永久磁石の磁束を迂回路に通すときに永久磁石を使い強制的に通すことで磁束が主の磁回路に通らないのでオン、オフがはっきりした動磁界となる
【請求項２】
装置を駆動させる時に強い磁力で駆動させまいという力が出てくるがこれは反対の調整可能な永久磁石の磁力で相殺することで動磁界を発生するのに大変少ない外部入力で駆動出来る
【請求項３】
動磁界発生磁極にコイルを付けて発電機として発電させたときにコイルに磁界が生じ磁気回路に影響するがシャフトにフライホイールを付けることで発電時の反磁界を慣性力で相殺する
【発明の詳細な説明】
【技術分野】
【０００１】  永久磁石から動磁界を発生させ発電などエネルギーを取り出すことに関する
【背景技術】
【０００２】  この様な装置は見当たらない
【特許文献】
【０００３】  見当たらない
【発明が解決しようとする課題】
【０００４】  電力、動力を取り出すことの出来る装置で簡単な仕組みで外部入力が小さくて済む省エネ型の装置を作る  永久磁石の磁極は静磁場ですがこれを動磁場に変えることにより発電したり動力を取り出すことが出来るようにする
【課題を解決するための手段】
【０００５】  永久磁石の磁極は静磁場ですので動磁場に変えるのにこの装置では磁気回路を使います主回路に迂回路が在り迂回路には強制的に磁力を通すようにする為に永久磁石を取り付けた回転子を駆動出来るようにして磁力を主回路、迂回路と交互に通すことで主回路の磁極がオン、オフとなる  回転子を連続駆動させれば動磁界が発生することになる  この時駆動させまいという力が働くがこれはもう一方に調整可能に磁石を配置して磁力を磁力で相殺します  これで動磁界発生時の外部入力が大変少なくてすむことになります  発電するには主回路磁極にコイルを取り付けますと動磁界を発生してますので発電します  この時コイルに磁界が生じるがこれはフライホイールで相殺させることが出来ます  また迂回路に回転子ではなく両端に磁石を付けて手動でオン，オフが出来るようにすれば主回路磁極の磁力を使いマグネットキャッチとかにも利用できます
【発明の効果】
【０００６】  動磁界発生装置を駆動するときの外部入力が大変少なくて済むこと  装置が簡単なので製作費が安価で出来る  動磁界発生磁極にコイルを付ければ発電機となり又磁力をオン、オフ出来るので直接この磁力を動力に変え利用することも出来る  （例；鉄片を可動可能なように磁極に付ければ振動するこれを回転に変えるとか）
発電機とした場合外部入力が小さくて済むので自動車、自転車、風力発電、自家発電、等々さまざまな分野での高効率可動が出来ます
【図面の簡単な説明】
【０００７】
【図１】  図１は動磁場発生装置
【図２】  図２は回転子
【図３】  図３は動磁場発生装置にコイルを取り付けた発電機
【発明を実施するための形態】
【０００８】  図１  は動磁場発生装置の具体例です（図は単体の例ですが複数でも装置の形が変わっても考え方が同様であれば良い）  永久磁石は静磁場ですがこれを動磁場に変えるこれがこの装置の働きです  動磁場を発生させるには回転子を駆動させ磁束を迂回磁路１から回転子磁石に強制的に通し迂回磁路２から磁石に吸引される  主磁路の磁束はオフとなる  回転子の磁石が  図２  の磁石の無いところまで回転したときは主磁路を磁束が通ることになりオンとなる  この様に磁束をオン、オフすることで動磁場を主磁路磁極に発生させる  回転子を駆動するとき吸引力が邪魔するが反対側に付けてある調整可能な磁石の反発力で相殺させる
図３  は動磁場発生装置の磁極にコイルを付けた発電機です  発電させたときコイルに起電力が流れ磁界が生じ回転子の回転を邪魔するがこれはフライホイールの慣性で相殺させる  このように装置に発生する反回転力を極力相殺して外部入力が小さくても駆動させられる（発電）ように考案した装置です  省エネ型です
【図１】
2011115039.tif 000003
【図２】
2011115039.tif 000004
【図３】
2011115039.tif 000005
(57)【要約】      （修正有）【課題】僅かな肉厚の差で挟持力が左右されず脱着が極めて容易な刃物研ぎ補助具の提供。【解決手段】折り曲げ自在な合成樹脂の長方形の板の中央に適宜幅の連結部１を設け、その両側に挟持部２を左右対称に設ける。連結部１の中心線で折り曲げた時挟持部２の内側に磁石板３を同極が向かい合うように固着し、外側に突起物４を左右対称に固着したものである。これにより、使用者は開いた状態の挟持部を刃物の目的の位置に峰部６から装着でき、僅かな肉厚の差で挟持力が左右される事もない。【選択図】図１
2011115909.tif 000002
【特許請求の範囲】
【請求項１】
本発明は折り曲げ自在な合成樹脂の長方形の板の中央に適宜幅の連結部（１）を設け、その両側に挟持部（２）を左右対称に設ける。連結部（１）の中心線で折り曲げたとき挟持部（２）の内側に磁石板（３）を同極が向かい合うように固着し、外側に突起物（４）を左右対称に固着した刃物研ぎ補助具。
【請求項２】
磁石板（３）に換えて粘着処理（８）し保護シート（９）を貼った請求項１の刃物研ぎ補助具。
【発明の詳細な説明】
【技術分野】
【０００１】
この発明は、包丁等の刃物を砥石で研ぐとき砥石にあてる刃の角度を一定に保つための刃物研ぎ補助具に関するものである。
【背景技術】
【０００２】
従来刃物を研ぐときは、刃物の峰部を浮かせ砥石に対して一定角度をつけこの角度が変わらないよう研がねばならない。そこで刃物を砥石に当てたとき峰側を一定高さに支持し角度を一定に保つ補助具が下記公報において開示されている。
【先行技術文献】
【特許文献】
【０００３】
【特許文献１】実公昭６３−００９４１６号公報
【特許文献２】実公平０１−００６１９６号公報
【特許文献３】実開平０１−０１６２４９号公報
【特許文献４】特開平０９−２２５８４２号公報
【特許文献５】特開２００４−１６０６３６号公報
【発明の概要】
【発明が解決しようとする課題】
【０００４】
しかし、前記文献では全て、刃物の峰側に補助具を挟持固定する方法であるが挟持固定する方法は補助具本体の弾性によるＣ型のバネによる挟持力であった、その為、装着前は
挟持部が閉じた状態であり装着するときはそのバネの力に抗して押し込まねばならず装着し辛かった、特に片刃の刃物は研ぎバリを取るため頻繁に脱着を繰り返す必要が有るので大変不便であった、又刃物の僅かな肉厚の差により挟持力に大きく差が出る事となり、薄
いと滑って不安定になり厚いと装着出来ないという欠点があった。
【０００５】
そこで本発明は僅かな肉厚の差で挟持力が左右される事無く脱着が極めて容易な刃物研ぎ補助具の提供を目的とする。
【課題を解決するための手段】
【０００６】
本発明は折り曲げ自在な合成樹脂の長方形の板の中央に適宜幅の連結部１を設け、その両側に挟持部２を左右対称に設ける。連結部１の中心線で折り曲げたとき挟持部２の内側に磁石板３を同極が向かい合うように固着し、外側に突起物４を左右対称に固着した物である。
【０００７】
又、第２の手段は折り曲げ自在な合成樹脂の長方形の板の中央に適宜幅の連結部１を設け、その両側に挟持部２を左右対称に設ける。連結部１の中心線で折り曲げたとき挟持部２の内側を粘着処理８のうえ保護シート９を貼り外側に突起物４を左右対称に固着した物である。
【発明の効果】
【０００８】
本発明は上記の手段を講じたので刃物に装着する前は向かい合った磁石が同極のため反発し合って挟持部が開いた状態であり、刃物をこの刃物研ぎ補助具で挟むと両側から磁力で固着するので刃物の峰部から目的位置に簡単に脱着でき、連結部の幅に余裕を持たせることにより多少の肉厚の差に挟持力が左右される事はない。
【０００９】
この様な小物は紛失しがちであるが、この様な構造であるので、使用しないときは広げてメモ留めとして冷蔵庫などに貼り付けておけば紛失も防げる
【００１０】
又、第２の手段はこの様な構造と材料なので極めて安価に製造出来るので使い捨ての刃物研ぎ補助具として使うが再剥離と再粘着性を有するウレタン系粘着材で粘着処理すれば繰り返し使用も可能である。
【図面の簡単な説明】
【００１１】
【図１】図１は、図２の刃物研ぎ補助具のＡ−Ａ断面図である。
【図２】図２は、刃物研ぎ補助具の使用状態を示す斜視図である。
【図３】図３は、刃物研ぎ補助具の正面図である。
【図４】図４は、請求項２の刃物研ぎ補助具の正面図である。
【発明を実施するための形態】
【００１２】
次に、本発明の実施形態を図面に基づいて説明する。  
【００１３】
図１においては、ポリプロピレンの長方形の板の中央に１０ミリ程度の幅で連結部１を設け、その両側に幅１５ミリ程度の挟持部２を左右対称に設けた。連結部１の中心線で折り曲げたとき挟持部２の内側にボンド磁石板３を左右対称で同極が向かい合うように固着し、外側に突起物４を左右対称に嵌着した
【符号の説明】
【００１４】
１    連結部
２    挟持部
３    磁石版
４    突起物
５    刃物刃先
６    刃物峰部
７    砥石
８    粘着処理部
９    保護シート
【図１】
2011115909.tif 000003
【図２】
2011115909.tif 000004
【図３】
2011115909.tif 000005
【図４】
2011115909.tif 000006
(57)【要約】      （修正有）【課題】片刃でも装着したままで両面が研げ、又、峰の厚い刃物や幅の広い刃物、変形した刃物等でも研げる刃物研ぎ補助具の提供する。【解決手段】磁石４の上面に硬質材で成型した指掛かり２を持つ突起物１を固着する手段を講じた物である。これにより、使用者は研ぎ面側の適宜位置に装着する事により刃物を砥石に当てたとき突起物が峰側を一定高さに支持し砥石に対して一定角度に保つ事が出来るので片刃でも装着したままで研ぐ事が出来る、又、峰の厚い刃物や幅の広い刃物、変形した刃物等でも研ぐ事が出来る。【選択図】図１
2011115915.tif 000002
【特許請求の範囲】
【請求項１】
剥離用指掛かり（２）を持つ突起物（１）の底面に磁石（４）を固着した刃物研ぎ補助具。
【請求項２】
磁石（４）に変えて突起物（１）の底面に剥離用指掛かり（２）を残して粘着処理（３）し、保護シート（９）を貼った刃物研ぎ補助具。
【発明の詳細な説明】
【技術分野】
【０００１】
この発明は、包丁等の刃物を砥石で研ぐとき砥石にあてる刃の角度を一定に保つための刃物研ぎ補助具に関するものである。
【背景技術】
【０００２】
従来刃物を研ぐときは、刃物の峰部を浮かせ砥石と一定角度をつけこの角度が変わらないよう研がねばならない。そこで刃物を砥石に当てたとき峰側を一定高さに支持し角度を一定に保つ補助具が下記公報において開示されている。
【先行技術文献】
【特許文献】
【０００３】
【特許文献１】実公昭６３−００９４１６号公報
【特許文献２】実公平０１−００６１９６号公報
【特許文献３】実開平０１−０１６２４９号公報
【特許文献４】特開平０９−２２５８４２号公報
【特許文献５】特開２００４−１６０６３６号公報
【発明の概要】
【発明が解決しようとする課題】
【０００４】
しかし、前記文献では全て、刃物の峰側にバネの挟持力によって補助具を挟持固定する方法であり、両面同一形状を成している、その為、対象刃物が片刃の場合片刃を少し研いでは一旦補助具を外して裏面を砥石に密着させて研ぐことでバリをとる作業が必要であり、これを繰り返すので補助具の脱着を頻繁におこなう必要があり大変不便であった。また出刃や鉈の様な峰の厚い物や中華包丁のような幅の広い物は研ぐことが出来なかった。
【０００５】
そこで本発明は片刃でも脱着を繰り返す必要が無く、又、峰の厚い刃物や幅の広い刃物でも研げる刃物研ぎ補助具の提供を目的とする。
【課題を解決するための手段】
【０００６】
剥離用指掛かり２を持つ突起物１の底面に磁石４を固着する手段を講じた、また、
【０００７】
磁石４に変えて突起物１の底面に剥離用指掛かり２を残して粘着処理３し、保護シート９を貼る手段を講じた物である。
【０００８】
本発明は上記の手段を講じたので刃物を研ぐ時、研ぎ面側の適宜位置に装着する事により刃物を砥石に当てたとき突起物が峰側を一定高さに支持し砥石に対して一定角度に保つ事が出来るので片刃でも装着したままで研ぐ事が出来る、又、峰の厚い刃物や幅の広い刃物、変形した刃物等でも研ぐ事が出来る
【０００９】
尚この場合刃物研ぎ補助具が作業中動かないように強力な磁石を使用するが突起物の指掛かりを持ち上げる事により容易に外す事が出来る
【発明の効果】
【００１０】
以上のように本発明によれば、片刃でも装着したままで研ぐ事が出来、又、峰の厚い刃物や幅の広い刃物、変形した刃物等でも研げる刃物研ぎ補助具を提供することができる。
【００１１】
又、第２の手段はこの様な構造と材料なので極めて安価に製造出来るので、使い捨ての刃物研ぎ補助具として販売促進グッズとしても使える。
【図面の簡単な説明】
【００１２】
【図１】図１は、図２の刃物研ぎ補助具装着時のＡ−Ａ断面図である。
【図２】図２は、刃物研ぎ補助具装着時の斜視図である。
【図３】図３は、請求項２の刃物研ぎ補助具の斜視図である。
【発明を実施するための形態】
【００１３】
次に、本発明の実施形態を図面に基づいて説明する。  
【実施例１】
【００１４】
図１、図２は請求項１の実施例であり硬質合成樹脂で成型した剥離用指掛かり２を持つ突起物１の底面に鉄のキャップ５を被せたキャップ磁石４をビス６で固着した。
【００１５】
この場合磁石と突起物はビスで固着されているので突起物が摩耗した時の交換が容易である。
【実施例２】
【００１６】
図３は請求項２の実施例であり合成樹脂で成型した指掛かり２を持つ突起物１の底面を粘着処理３し保護シート９を貼った
【００１７】
この様な構造と材料なので極めて安価に製造出来るので使い捨ての刃物研ぎ補助具として使うが再剥離と再粘着性を有するウレタン系粘着材で粘着処理すれば繰り返し使用も可能である。
【符号の説明】
【００１８】
１    突起物
２    剥離用指掛かり
３    粘着処理部分
４    磁石
５    磁石のキャップ
６    ビス
７    刃物刃部
８    刃物峰部
９    保護シート
【図１】
2011115915.tif 000003
【図２】
2011115915.tif 000004
【図３】
2011115915.tif 000005
(57)【要約】      （修正有）【課題】スタック型仏具において、従来のものは持ちにくく、不便であった。【解決手段】スタック型仏具の側部に少なくとも１以上の凸部もしくは凹部を有するスタック型仏具とした。【選択図】図１
2011115299.tif 000002
【特許請求の範囲】
【請求項１】
スタック型仏具のスタック時において、側部に少なくとも１以上の凸部もしくは凹部を有するスタック型仏具
【請求項２】
スタック型仏具の火立において、上下反転にして使用可能なスタック型火立
【請求項３】
請求項２に記載のスタック型火立を用いた請求項１に記載のスタック型仏具
【発明の詳細な説明】
【技術分野】
【０００１】
本発明は葬祭用具などの積み重ねして用いることができるスタック型仏具に関するものである。
【背景技術】
【０００２】
従来のスタック型仏具は、四角形や円柱などにして、積み重ねて場所を取らないようにしたものであった。スタックすることで収納が便利な仏具として花立、火立、香炉などをセットとして用いていた。
【０００３】
特にこの関連に関する主だった先行文献に適切なものが、見当たらないが、接続における文献を挙げておく。
【先行技術文献】
【特許文献】
【０００４】
【特許文献１】特開２００４−１５９９５７
【発明の概要】
【発明が解決しようとする課題】
【０００５】
しかしながら、側面が常に垂直であるために重ねて移動したり、あるいは、積み重ねたりする際にすべりやすく、不便であった。
【課題を解決するための手段】
【０００６】
スタック型仏具の側面を凸部や凹部を用いて掴みやすくした。
【０００７】
一方。火立においては、ろうそくを差しこむタイプと置くタイプの両方に使えるタイプがニーズに応じて簡便に使えるものが、要求されていた。
そこで、火立に関しては、上下反転可能である、一方を芯を用いたタイプ、反面をろうそくが置けるタイプの両方を兼ね備えるスタック型火立とした。
【発明の効果】
【０００８】
今まで、すべりやすく、事故が起こりやすく危険であったが、簡便に運んだり、積み重ねができるようになった。
【０００９】
火立においては、反転可能なスタック型火立を用いることで、タイプの違うろうそくに対応することができるため、便利である。
【発明を実施するための形態】
【００１０】
本発明の具体的な形態について、各図面に基づいて説明する。図面は縦断面を表す説明図である。図面に示すものは回転体でできている。
【実施例１】
【００１１】
図１は説明縦中央断面図である。この形態は、花立（１−１）、火立（１−３）、香炉（１−２）で構成される。材料は特に金属、陶器などの可燃性でない材料が好ましい。側面の側部全体に凸部を有している。そのため、移動させたり、反転させたり、しやすく、また、積み上げやすい。それぞれのスタック構成はどのような形態であってもよい。スタックで重なる部分を一定の形状にすれば、様々な仏具を、積み重ねることもできて便利である。もちろん、凹部を有していることで、同様の効果を得てもよい。すなわち、スタックしたときの側部に少なくとも１以上の凸部もしくは凹部を有するスタック型仏具であればよい。
【実施例２】
【００１２】
図２はスタック型仏具に使う上下反転可能にして利用できるスタック型火立である。リバース形式にするといろいろなろうそくに際して対応の幅が広がる。
【図面の簡単な説明】
【００１３】
【図１】本発明の実施形態を示す説明縦中央断面図である。
【図２】本発明の実施形態を示す説明縦中央断面図を用いた説明図である。
【符号の説明】
【００１４】
１        スタック型仏具
１−１    花立
１−３    火立
１−２    香炉
２        側部
３        芯
【図１】
2011115299.tif 000003
【図２】
2011115299.tif 000004
(57)【要約】【課題】マスクの機能を変更することなく、マスク上部の鼻とのすき間を押さえる事により、ウイルス、細菌等の病原菌や花粉がマスク上部のすき間からマスク内に入って来ることを防ぐ。また、マスク内からの湿った息をブロックして、眼鏡の曇りを軽減する機能を提供する。【解決手段】眼鏡のパット箱（クリングス）と鼻パットの接続部分とのすき間にプラスチィクのプレートを取り付け、マスク上部の鼻部分のすき間をマスクの上から押さえ付ける構造とする。【選択図】図１
2011115233.tif 000002
【特許請求の範囲】
【請求項１】
眼鏡のパット箱（クリングス）と鼻パット接続部分のすき間に挿入する事で、取り付け、取り外しが簡単に行える事。
【請求項２】
マスク上部の鼻とのすき間を、マスクの上から押さえつける事により、マスクのすき間を減らして、ウイルス、細菌等の病原菌や花粉が入り込むのを防ぐ事。
【請求項３】
マスク本体の機能ではなく、眼鏡に取り付けるプレートにより、マスク内からの湿った息をブロックし、眼鏡の曇りを軽減する事。
【請求項４】
マスク上部の鼻部分のすき間を押さえ付けるだけでは遮断しきれない息を、眼鏡の鼻パット側を通過させ、眼鏡レンズにあたらないようにブロックしながら上方へ流す構造としている事。
【発明の詳細な説明】
【技術分野】
【０００１】
本発明は、マスク上部のすき間を押さえる事により、ウイルス、細菌等の病原菌や花粉がマスク上部のすき間からマスク内に入って来ることを防ぐものである。また逆にマスク内からの湿った息で眼鏡が曇ってしまい、視界がさえぎられてしまう事を軽減する為の物でもある。
【背景技術】
【０００２】
従来、マスクは鼻や口を覆うように密着する構造になっているが、マスク上部の鼻部分にはすき間が出来やすくなっていた。そのため、ウイルス、細菌等の病原菌や花粉がマスク上部のすき間からマスク内に入り込んでしまう原因ともなっていた。
【先行技術文献】
【特許文献】
【０００３】
【特許文献１】特開２００８−２６４２７７号公報
【発明の概要】
【発明が解決しようとする課題】
【０００４】
マスク上部のすき間からウイルス、細菌等の病原菌や花粉が入って来るのを防ぐ。また、眼鏡とマスクを付けて、自転車運転や歩行をする場合、眼鏡の曇りで視界がさえぎられてしまう事を軽減する。
【課題を解決するための手段】
【０００５】
本体プラスチィクプレート（１）に眼鏡と接続する為の溝（２）を設け、保護材（３）で本体（１）をカバーする。全体の形状は、指先の爪のような丸みをおびた立体構造とする。
【発明の効果】
【０００６】
マスクを付けた後に、本発明を取り付けた眼鏡を、マスク上部の鼻とのすき間を押さえつけるように装着する。この事によりマスクのすき間を減らして、花粉や細菌等がマスク内に入ってくる事を防ぐ。また逆にマスク内からの湿った息で眼鏡が曇ってしまう事も防ぐ効果が期待できる。
【図面の簡単な説明】
【０００７】
【図１】図１は本発明の正面図である。
【図２】図２は本発明の取り付け位置を示した面図である。
【図３】図３は本発明を眼鏡に装着して、マスクを付けた状態の面図である。
【発明を実施するための形態】
【０００８】
本発明は、眼鏡と接続する溝（２）をパット箱（クリングス）と鼻パットの接続部分のすき間に挿入する。マスクを付けた後にマスク上部のすき間を押さえ付けるように、本発明を装着した眼鏡をかける。
【符号の説明】
【０００９】
１  本体プラスチィクプレート
２  溝
３  保護材
４  パット箱（クリングス）
５  鼻パット
６  マスク
７  眼鏡
【図１】
2011115233.tif 000003
【図２】
2011115233.tif 000004
【図３】
2011115233.tif 000005